(57)【要約】【課題】異物に大きな力が加わるのを防止することが可能なドアを提供する。【解決手段】左扉体と、左扉体とは異なる右扉体と、左扉体と右扉体とを回動可能に連結する蝶番３０と、を具備し、蝶番３０は、左扉体１０に固定される左固定部材６０と、左固定部材６０に回動可能に連結される回動部材７０と、右扉体２０に固定されると共に、回動部材７０に対して所定の仮想平面に沿って移動可能に連結される右固定部材４０と、を具備した。【選択図】図４
2016176294.tif 000002
【特許請求の範囲】
【請求項１】
一の構造体と、
前記一の構造体とは異なる他の構造体と、
前記一の構造体と前記他の構造体とを回動可能に連結する蝶番と、
を具備し、
前記蝶番は、
前記一の構造体に固定される第一の固定部材と、
前記第一の固定部材に回動可能に連結される回動部材と、
前記他の構造体に固定されると共に、前記回動部材に対して所定の仮想平面に沿って移動可能に連結される第二の固定部材と、
を具備するドア。
【請求項２】
前記回動部材及び前記第二の固定部材のいずれか一方は、
被案内部を具備し、
前記回動部材及び前記第二の固定部材のいずれか他方は、
前記被案内部を所定の領域内で移動可能となるように案内する案内部を具備する、
請求項１に記載のドア。
【請求項３】
前記被案内部を、前記所定の領域内における所定の位置に向かって付勢する付勢部材をさらに具備する、
請求項２に記載のドア。
【請求項４】
前記案内部は、
前記所定の領域を囲む枠状に形成され、
前記被案内部は、
前記案内部に挿通され、
前記付勢部材は、
前記案内部内を満たすように配置された弾性体によって形成される、
請求項３に記載のドア。
【発明の詳細な説明】
【技術分野】
【０００１】
本発明は、蝶番を具備するドアの技術に関する。
【背景技術】
【０００２】
従来、蝶番を具備するドアの技術は公知となっている。例えば、特許文献１に記載の如くである。
【０００３】
特許文献１に記載のドア（折れ戸）は、一対の戸パネルと、当該一対の戸パネルを互いに回動可能に連結する蝶番（ヒンジ）を具備する。また、当該ドアは、一対の戸パネルの間の隙間（蝶番が設けられた部分）を覆う保護カバーを具備している。このように構成することで、ドアを開閉する際（特に閉じる際）に戸パネルの間に異物が挟まり難くすることができる。
【０００４】
しかしながら、当該技術では、万が一保護カバー内に異物が入り、戸パネルの間に当該異物が挟まった場合には、当該異物に大きな力が加わってしまう点で改善の余地があった。
【先行技術文献】
【特許文献】
【０００５】
【特許文献１】特開２０１１−１７４２６３号公報
【発明の概要】
【発明が解決しようとする課題】
【０００６】
本発明は以上の如き状況を鑑みてなされたものであり、その解決しようとする課題は、異物に大きな力が加わるのを防止することが可能なドアを提供することである。
【課題を解決するための手段】
【０００７】
本発明の解決しようとする課題は以上の如くであり、次にこの課題を解決するための手段を説明する。
【０００８】
即ち、請求項１においては、一の構造体と、前記一の構造体とは異なる他の構造体と、前記一の構造体と前記他の構造体とを回動可能に連結する蝶番と、を具備し、前記蝶番は、前記一の構造体に固定される第一の固定部材と、前記第一の固定部材に回動可能に連結される回動部材と、前記他の構造体に固定されると共に、前記回動部材に対して所定の仮想平面に沿って移動可能に連結される第二の固定部材と、を具備するものである。
【０００９】
請求項２においては、前記回動部材及び前記第二の固定部材のいずれか一方は、被案内部を具備し、前記回動部材及び前記第二の固定部材のいずれか他方は、前記被案内部を所定の領域内で移動可能となるように案内する案内部を具備するものである。
【００１０】
請求項３においては、前記被案内部を、前記所定の領域内における所定の位置に向かって付勢する付勢部材をさらに具備するものである。
【００１１】
請求項４においては、前記案内部は、前記所定の領域を囲む枠状に形成され、前記被案内部は、前記案内部に挿通され、前記付勢部材は、前記案内部内を満たすように配置された弾性体によって形成されるものである。
【発明の効果】
【００１２】
本発明の効果として、以下に示すような効果を奏する。
【００１３】
請求項１においては、異物に大きな力が加わるのを防止することができ。
【００１４】
請求項２においては、蝶番の構造を簡素化することができる。
【００１５】
請求項３においては、意匠性（美観）を向上させると共に、操作性を向上させることができる。
【００１６】
請求項４においては、蝶番の構造を簡素化することができる。
【図面の簡単な説明】
【００１７】
【図１】本発明の一実施形態に係るドアの全体的な構成を示した背面図。
【図２】蝶番を示した背面拡大図。
【図３】同じく、斜視図。
【図４】蝶番を示した分解斜視図。
【図５】（ａ）右固定部材を示した背面図。（ｂ）同じく、底面図。（ｃ）同じく、右側面図。
【図６】（ａ）左固定部材及び回動部材を示した背面図。（ｂ）同じく、底面図。
【図７】（ａ）図２におけるＡ−Ａ断面を示した図。（ｂ）。Ｂ−Ｂ断面を示した図。
【図８】（ａ）異物が挟まったドアを示した模式図。（ｂ）案内部及び被案内部の移動方向を示した断面図。（ｃ）案内部及び被案内部が移動した状態を示した断面図。
【図９】蝶番の動作を示した背面拡大図。
【図１０】（ａ）第一変形例に係るドアを示した背面図。（ｂ）第二変形例に係る付勢部材を示した断面図。
【発明を実施するための形態】
【００１８】
以下の説明においては、図中に記した矢印に従って、上下方向、左右方向及び前後方向をそれぞれ定義する。
【００１９】
以下では、本発明の一実施形態に係るドア１の構成について説明する。
【００２０】
図１から図３までに示すドア１は、収納等に設けられる折れ戸である。ドア１は、主として左扉体１０、右扉体２０、蝶番３０及びカバー９０を具備する。
【００２１】
左扉体１０は、収納等を塞ぐためのものである。左扉体１０は木材により形成される。左扉体１０は、略矩形板状に形成される。左扉体１０は、その板面を前後方向に向けた状態で配置される。左扉体１０は、主として支持軸１１及び凹部１２を具備する。
【００２２】
図１に示す支持軸１１は、左扉体１０を回動可能に支持するものである。支持軸１１は、左扉体１０の左上部及び左下部にそれぞれ設けられる。上下一対の支持軸１１は、軸線を上下方向に向けた状態で、かつ同一軸線上に配置される。支持軸１１は、適宜の構造体（例えば、収納に設けられた枠体等）に回動可能に支持される。これによって、左扉体１０は、支持軸１１を中心として回動することができる。
【００２３】
図１から図３までに示す凹部１２は、後述する蝶番３０を取り付けるためのものである。凹部１２は、左扉体１０の後側面の右端の３箇所（上端部近傍、上下中央部、及び下端部近傍）にそれぞれ形成される。凹部１２は、左扉体１０の後側面を前方に向かって窪ませることで形成される。凹部１２は、背面視略矩形状に形成される。凹部１２は、左扉体１０の右側面に達するように形成される。これによって、凹部１２の右端は右方に向かって開放される。
【００２４】
右扉体２０は、左扉体１０と共に収納等を塞ぐためのものである。右扉体２０は、左扉体１０と同様の木材により形成される。右扉体２０は、左扉体１０と略同一形状（略矩形板状）に形成される。右扉体２０は、その板面を前後方向に向けた状態で、左扉体１０の右隣（左扉体１０と同一平面上）に配置される。右扉体２０は、主として凹部２１を具備する。
【００２５】
凹部２１は、後述する蝶番３０を取り付けるためのものである。凹部２１は、右扉体２０の後側面の左端の３箇所（上端部近傍、上下中央部、及び下端部近傍）にそれぞれ形成される。凹部２１は、左扉体１０の凹部１２と隣り合う位置に形成される（図２及び図３参照）。凹部２１は、右扉体２０の後側面を前方に向かって窪ませることで形成される。凹部２１は、背面視略矩形状に形成される。凹部２１は、右扉体２０の左側面に達するように形成される。これによって、凹部２１の左端は左方に向かって開放される。
【００２６】
図１から図３までに示す蝶番３０は、左扉体１０と右扉体２０とを回動可能に連結するものである。蝶番３０は、隣り合う凹部１２及び凹部２１に取り付けられる。これによって、蝶番３０は、左扉体１０及び右扉体２０の３箇所（上端部近傍、上下中央部、及び下端部近傍）に設けられることになる。なお、蝶番３０の詳細な構成については後述する。
【００２７】
図１に示すカバー９０は、蝶番３０を覆うものである。具体的には、カバー９０は、蝶番の略右半分を後方から覆うように、右扉体２０の背面に設けられる。
【００２８】
このように構成されたドア１において、人が右扉体２０の前側面に設けられた引き手（不図示）を把持し、略左右方向に力を加えると、左扉体１０が支持軸１１を中心として回動すると共に、当該左扉体１０と右扉体２０が蝶番３０を介して回動する。これによって、当該ドア１を適宜開閉することができる。
【００２９】
以下では、図２から図７までを用いて、蝶番３０の詳細な構成について説明する。蝶番３０は、主として右固定部材４０、付勢部材５０、左固定部材６０、回動部材７０及び回動軸８０を具備する。
【００３０】
図２から図５まで、並びに図７に示す右固定部材４０は、右扉体２０に固定されるものである。右固定部材４０は、板材に切断加工や折り曲げ加工等を適宜施すことで形成される。右固定部材４０は、主として中央平面４１、側面４２及び取付面４４を具備する。
【００３１】
中央平面４１は、右固定部材４０の上下中央部に形成される平面状の部分である。中央平面４１は、その板面を前後方向に向けた状態で配置される。中央平面４１は、背面視略矩形状に形成される。中央平面４１は、主として案内部４１ａ及び当接部４１ｂを具備する。
【００３２】
案内部４１ａは、所定の領域を囲む枠状に形成された部分である。案内部４１ａは、略円筒状に形成される。案内部４１ａは、その軸線を前後方向に向けた状態で、中央平面４１の略中央部に形成される。このようにして、案内部４１ａは、背面視円形状の領域を囲む枠状に形成される。案内部４１ａは、中央平面４１から後方に向かって所定の長さだけ突出するように形成される。案内部４１ａによって、中央平面４１が前後に貫通される。
【００３３】
当接部４１ｂは、略矩形板状に形成された部分である。当接部４１ｂは、中央平面４１の一部を後方に向かって折り曲げることで、当該中央平面４１から後方に向かって所定の長さだけ突出するように形成される。当接部４１ｂは、その板面を左右方向に向けた状態で、案内部４１ａの左方及び右方にそれぞれ形成される。当接部４１ｂの前後方向長さは、案内部４１ａの前後方向長さと略同一になるように形成される。当接部４１ｂの上下方向長さは、案内部４１ａの上下方向長さ（外径）よりも長くなるように形成される。
【００３４】
側面４２は、前後方向に沿って延びるように形成される平面状の部分である。側面４２は、中央平面４１の上端部及び下端部にそれぞれ一体的に形成される。側面４２は、その板面を上下方向に向けた状態で配置される。側面４２は、平面視略矩形状に形成される。側面４２は、中央平面４１から概ね後方に向かって延びるように形成される。側面４２の後端は、案内部４１ａ及び当接部４１ｂの後端よりも後方に位置するように形成される。側面４２は、主として足部４２ａを具備する。
【００３５】
足部４２ａは、前方に向かって延びるように形成される平面状の部分である。足部４２ａは、側面４２の前端の左右両端部にそれぞれ形成される。足部４２ａは、側面４２の前端（中央平面４１）から前方に向かって所定の長さだけ突出するように形成される。
【００３６】
取付面４４は、右固定部材４０の上下両端部に形成される平面状の部分である。取付面４４は、その板面を前後方向に向けた状態で配置される。取付面４４は、背面視略矩形状に形成される。取付面４４は、上下一対の側面４２の後端部にそれぞれ一体的に形成される。これによって、取付面４４は、背面視において中央平面４１の上下にそれぞれ配置される。
【００３７】
このように、右固定部材４０は、中央平面４１が取付面４４に対して前方に窪んだ形状に形成される。右固定部材４０は、中央平面４１及び側面４２が右扉体２０の凹部２１内に収容された状態で、取付面４４を右扉体２０の後側面に適宜固定することで、当該右扉体２０に取り付けられる。この際、右固定部材４０の足部４２ａの前端を凹部２１の底面（前端面）に当接させることで、右固定部材４０の姿勢を安定させることができる。
【００３８】
図４、図５及び図７に示す付勢部材５０は、後述する被案内部７２を所定の方向に向かって付勢するものである。付勢部材５０は、ゴム等の弾性体によって形成される。付勢部材５０は、右固定部材４０の案内部４１ａ内に配置される。付勢部材５０は、案内部４１ａ内を満たすように形成される。すなわち、付勢部材５０は、案内部４１ａの内径と略同一の外径を有する略円柱状に形成される。付勢部材５０は、主として貫通孔５１を具備する。
【００３９】
貫通孔５１は、付勢部材５０を前後方向に貫通するように形成される。貫通孔５１は、前後方向に沿う直線状に形成される。貫通孔５１は、付勢部材５０の中心（軸線）からずれた位置に形成される。具体的には、貫通孔５１は、付勢部材５０の右上端部近傍に形成される。以下では、付勢部材５０（貫通孔５１）の長手方向から見て、貫通孔５１が形成される位置（案内部４１ａ（付勢部材５０）の右上端部近傍）を初期位置Ｐと称する（図７（ｂ）参照）。
【００４０】
図２から図４まで、並びに図６に示す左固定部材６０は、左扉体１０に固定されるものである。左固定部材６０は、板材に切断加工や折り曲げ加工等を適宜施すことで形成される。左固定部材６０は、主として中央平面６１、側面６２（足部６２ａ）及び取付面６４を具備する。
【００４１】
なお、左固定部材６０は、右固定部材４０と略左右対称な形状に形成される。すなわち、左固定部材６０の中央平面６１、側面６２（足部６２ａ）及び取付面６４は、それぞれ右固定部材４０の中央平面４１、側面４２（足部４２ａ）及び取付面４４に対応する。左固定部材６０が右固定部材４０と異なる点は、側面６２が中央平面６１よりも右方まで延びるように形成されている点である。その他の構成は右固定部材４０と略同一であるため、左固定部材６０の構成の詳細な説明は省略する。
【００４２】
このように、左固定部材６０は、中央平面６１が取付面６４に対して前方に窪んだ形状に形成される。左固定部材６０は、中央平面６１及び側面６２が左扉体１０の凹部１２内に収容された状態で、取付面６４を左扉体１０の後側面に適宜固定することで、当該左扉体１０に取り付けられる。この際、左固定部材６０の足部６２ａの前端を凹部１２の底面（前端面）に当接させることで、左固定部材６０の姿勢を安定させることができる。
【００４３】
図２から図４まで、並びに図６及び図７に示す回動部材７０は、左固定部材６０に対して回動可能に連結されるものである。回動部材７０は、板材に切断加工や折り曲げ加工等を適宜施すことで形成される。回動部材７０は、主として回動部材本体７１及び被案内部７２を具備する。
【００４４】
回動部材本体７１は、回動部材７０の主たる構造体を形成するものである。回動部材本体７１は、主として中央平面７１ａ及び側面７１ｂを具備する。
【００４５】
中央平面７１ａは、回動部材本体７１の上下中央部に形成される平面状の部分である。中央平面７１ａは、その板面を前後方向に向けた状態で配置される。中央平面７１ａは、長手方向を左右方向に向けた背面視略矩形状に形成される。
【００４６】
側面７１ｂは、左右方向に沿って延びるように形成される平面状の部分である。側面７１ｂは、中央平面７１ａの上端部及び下端部にそれぞれ一体的に形成される。側面７１ｂは、その板面を上下方向に向けた状態で配置される。側面７１ｂは、中央平面７１ａから概ね後方に向かって延びるように形成される。
【００４７】
被案内部７２は、右固定部材４０の案内部４１ａに挿通される部分である。被案内部７２は、主として軸部７２ａ及び円板部７２ｂを具備する。
【００４８】
軸部７２ａは、略円筒状に形成される部分である。軸部７２ａは、長手方向を前後方向に向けた状態で配置される。軸部７２ａの外径は、付勢部材５０の貫通孔５１の内径と略同一となるように形成される。軸部７２ａの長手方向（前後方向）長さは、付勢部材５０（案内部４１ａ）の長手方向（前後方向）長さと略同一となるように形成される。
【００４９】
円板部７２ｂは、略円形の平板状に形成される部分である。円板部７２ｂは、その板面を前後方向に向けた状態で配置される。円板部７２ｂの外径は、案内部４１ａの外径よりも大きくなるように形成される。円板部７２ｂは、軸部７２ａの前端に固定される。
【００５０】
このように構成された被案内部７２において、軸部７２ａは右固定部材４０の案内部４１ａに前方から挿通される。より具体的には、軸部７２ａは、案内部４１ａ内に配置された付勢部材５０の貫通孔５１に挿通される。また、軸部７２ａの後端は、回動部材本体７１（中央平面７１ａ）の正面に適宜固定される。このようにして、被案内部７２の円板部７２ｂと回動部材本体７１の中央平面７１ａとの間に右固定部材４０が挟まれることで（図７参照）、回動部材７０と右固定部材４０とが連結される。
【００５１】
このように回動部材７０と右固定部材４０とが連結されると、当該回動部材７０は右固定部材４０に対して軸部７２ａの長手方向（図７に示す状態においては、前後方向）に移動することができなくなる。しかし、回動部材７０は、軸部７２ａの長手方向に垂直な平面（図７に示す状態においては、上下方向及び左右方向に平行な平面。以下この平面を単に「仮想平面」と称する）に沿って（前記仮想平面と平行な方向に）、右固定部材４０に対して移動することができる。この場合、回動部材本体７１の中央平面７１ａと右固定部材４０の案内部４１ａ及び当接部４１ｂとが互いに摺動すると共に、被案内部７２の円板部７２ｂと右固定部材４０の中央平面４１とが互いに摺動することになる。このとき、足部４２ａによって凹部２１の底面（前面）と中央平面４１との間には一定の隙間が確保されているため、円板部７２ｂに凹部２１の底面が接触し、当該円板部７２ｂの摺動が阻害されることはない。
【００５２】
この際、被案内部７２の軸部７２ａが付勢部材５０の貫通孔５１に挿通されているため、回動部材７０が右固定部材４０に対して移動すると、付勢部材５０が弾性変形する。弾性変形した付勢部材５０は元の形状に戻ろうとするため、貫通孔５１に挿通された軸部７２ａには、初期位置Ｐに向かう方向に付勢力が加わることになる。
【００５３】
図３、図４及び図６に示す回動軸８０は、左固定部材６０と回動部材７０とを回動可能に連結するものである。回動軸８０は、その長手方向を上下方向に向けた状態で配置される。回動軸８０は、左固定部材６０の側面６２の右端部及び回動部材７０の側面７１ｂの左端部に回動可能に挿通される。この際、当該側面６２と側面７１ｂとの間には、適宜のスペーサ８０ａが配置される。これによって、回動部材７０は、当該回動部材７０（回動部材本体７１）の上下中央位置が、左固定部材６０の上下中央位置に対して変位するように配置される。具体的には、回動部材７０は、回動部材本体７１の上下中央位置が、左固定部材６０の上下中央位置よりもやや上方に位置するように配置される。
【００５４】
以下では、上述の如く構成された蝶番３０によって、左扉体１０と右扉体２０との間の隙間が変化する様子について説明する。
【００５５】
まず、図２、図３及び図７を用いて、左扉体１０と右扉体２０との間に何も挟まっていない状態（以下、この状態を単に「通常状態」と称する）について説明する。
【００５６】
付勢部材５０の貫通孔５１に挿通された被案内部７２の軸部７２ａは、当該付勢部材５０の付勢力によって初期位置Ｐに保持される。これによって、右固定部材４０は、回動部材７０に対して所定の位置に保持されることになる。通常状態における左扉体１０と右扉体２０との間の隙間（左右方向の間隔）をＷ１とする。
【００５７】
次に、図８及び図９を用いて、ドア１を閉じる際に左扉体１０と右扉体２０との間に異物が挟まった場合について説明する。
【００５８】
本実施形態においては、一例として図８（ａ）に模式的に示すように、左扉体１０及び右扉体２０の下端部近傍（蝶番３０よりも下方）に異物Ａが挟まった場合を想定する。このような場合、右扉体２０には、概ね右上方に向かって力が加わることになる。
【００５９】
右扉体２０に力が加わった状態の案内部４１ａ及び被案内部７２（軸部７２ａ）に着目すると、図８（ｂ）及び図８（ｃ）に示すように、右扉体２０に固定されている案内部４１ａは、付勢部材５０の付勢力に抗して、左扉体１０に固定されている軸部７２ａに対して相対的に右上方に移動する。言い換えると、軸部７２ａは前記仮想平面に沿って、案内部４１ａに対して相対的に左下方に移動する。
【００６０】
これによって、図９に示すように、右固定部材４０が左固定部材６０及び回動部材７０に対して相対的に右上方に移動し、ひいては右扉体２０が左扉体１０に対して相対的に右上方に移動することになる。この状態における左扉体１０と右扉体２０との間の隙間をＷ２とする。隙間Ｗ２は、通常状態の隙間Ｗ１（図２参照）よりも大きくなる。なお、図９においては、便宜上、左扉体１０及び右扉体２０の上部から下部に亘って隙間Ｗ２が一定である状態を図示しているが、実際には右扉体２０が傾く（図８（ａ）参照）ことによって隙間Ｗ２が一定とならない場合もある。
【００６１】
このように、左扉体１０と右扉体２０との間に異物が挟まった場合には、蝶番３０の動作によって、右扉体２０を左扉体１０から離間するように移動させることができる。これによって、左扉体１０と右扉体２０との間の隙間が大きくなり、異物Ａに大きな力が加わるのを防止することができる。
【００６２】
また、左扉体１０と右扉体２０との間に挟まった異物Ａを取り除くと、付勢部材５０の付勢力によって、軸部７２ａは初期位置Ｐへと移動する。すなわち、右扉体２０は左扉体１０に近接するように移動する。これによって、左扉体１０と右扉体２０との間の隙間は再びＷ１になる（図２参照）。このように、異物Ａを取り除くだけで、左扉体１０と右扉体２０との間の隙間を、元の隙間Ｗ１に戻すことができる。
【００６３】
このように、付勢部材５０の付勢力は、左扉体１０と右扉体２０との間に異物Ａが挟まった際に軸部７２ａが初期位置Ｐから移動可能であり、かつ異物Ａを取り除くと再び軸部７２ａが初期位置Ｐに戻る程度に予め設定される。当該付勢部材５０の付勢力は、付勢部材５０の材質、形状、寸法等を任意に変更することで調節することができる。
【００６４】
また、本実施形態では、左扉体１０及び右扉体２０の下端部近傍（蝶番３０よりも下方）に異物Ａが挟まることを想定して、初期位置Ｐの位置を設定している。具体的には、左扉体１０及び右扉体２０の下端部近傍に異物Ａが挟まると、図８（ｂ）及び図８（ｃ）に示すように、軸部７２ａは案内部４１ａに対して相対的に左下方に移動することになる。そこで本実施形態においては、初期位置Ｐを案内部４１ａの右上端部近傍に設定することで、軸部７２ａが左下方へと移動可能な距離を長く確保している。これによって、左扉体１０と右扉体２０の間の隙間Ｗ２を大きく確保することができる。
【００６５】
また、本実施形態では、軸部７２ａが案内部４１ａに対して相対的に左下方に移動する例（図８（ｂ）及び図８（ｃ）参照）を説明したが、軸部７２ａは左下方に限らず、案内部４１ａによって囲まれた領域内において任意の方向に移動することができる。これによって、異物Ａの挟まる位置や右扉体２０に加わる力の方向が変化しても、左扉体１０と右扉体２０との間の隙間を適切に確保することができ、ひいては異物Ａに加わる力を適切に低減させることができる。また、本実施形態の付勢部材５０によれば、軸部７２ａが初期位置Ｐからどのような方向に移動したとしても、当該軸部７２ａに対して初期位置Ｐに戻る方向の付勢力を付与することができる。
【００６６】
なお、説明の便宜上、上記説明では、右扉体２０が左扉体１０と同一平面上にある状態（ドア１が閉じられた状態）で右方へと移動する様子を説明している（図８及び図９等参照）。しかし実際には、右扉体２０が左扉体１０と同一平面上にない状態（例えば、ドア１の開閉の途中）でも、右扉体２０は左扉体１０に近接又は離間する方向（より詳細には、右扉体２０の左端が、左扉体１０の右端に近接又は離間する方向）に移動することができる。
【００６７】
以上の如く、本実施形態に係るドア１は、
左扉体１０（一の構造体）と、
左扉体１０とは異なる右扉体２０（他の構造体）と、
左扉体１０と右扉体２０とを回動可能に連結する蝶番３０と、
を具備し、
蝶番３０は、
左扉体１０に固定される左固定部材６０（第一の固定部材）と、
左固定部材６０に回動可能に連結される回動部材７０と、
右扉体２０に固定されると共に、回動部材７０に対して所定の仮想平面に沿って移動可能に連結される右固定部材４０（第二の固定部材）と、
を具備するものである。
このように構成することにより、異物に大きな力が加わるのを防止することができる。具体的には、右扉体２０と左扉体１０との間に異物が挟まった場合には、右扉体２０が所定の仮想平面に沿って左扉体１０に対して離間する方向に移動することで、当該右扉体２０と左扉体１０との間に挟まった異物に大きな力が加わるのを防止することができる。
また、右固定部材４０は回動部材７０に対して所定の仮想平面に沿った任意の方向に移動することができるため、異物に加わる力を適切に低減させることができると共に、蝶番３０に過剰な負荷が加わるのを防止することができる。
【００６８】
また、回動部材７０は、
被案内部７２を具備し、
右固定部材４０は、
被案内部７２を所定の領域（案内部４１ａによって囲まれた領域）内で移動可能となるように案内する案内部４１ａを具備するものである。
このように構成することにより、蝶番３０の構造を簡素化することができる。また、回動部材７０が右固定部材４０に対して相対的に移動する範囲を適宜規制することができる。
【００６９】
また、ドア１は、
被案内部７２を、前記所定の領域内における初期位置Ｐ（所定の位置）に向かって付勢する付勢部材５０をさらに具備するものである。
このように構成することにより、意匠性（美観）を向上させると共に、操作性を向上させることができる。具体的には、左扉体１０と右扉体２０との間の隙間を小さくし、当該隙間を目立たなくすることができる。また、左扉体１０と右扉体２０との間に挟まった異物を取り除いた際に、付勢部材５０の付勢力によって右扉体２０を左扉体１０に近接するように移動させることができる。このため、わざわざ右扉体２０を左扉体１０に近接させる操作が不要となる。
【００７０】
また、案内部４１ａは、
前記所定の領域を囲む枠状に形成され、
被案内部７２は、
案内部４１ａに挿通され、
付勢部材５０は、
案内部４１ａ内を満たすように配置された弾性体によって形成されるものである。
このように構成することによって、蝶番３０の構造を簡素化することができる。すなわち、被案内部７２を初期位置Ｐに向かって付勢するための構造を簡素化することができる。
【００７１】
なお、本実施形態に係る左扉体１０は、本発明に係る一の構造体の実施の一形態である。
また、本実施形態に係る右扉体２０は、本発明に係る他の構造体の実施の一形態である。
また、本実施形態に係る左固定部材６０は、本発明に係る第一の固定部材の実施の一形態である。
また、本実施形態に係る右固定部材４０は、本発明に係る第二の固定部材の実施の一形態である。
【００７２】
以上、本発明の一実施形態を説明したが、本発明は上記構成に限定されるものではなく、特許請求の範囲に記載された発明の範囲内で種々の変更が可能である。
【００７３】
例えば、本実施形態に係るドア１は互いに回動可能な２枚の扉体（左扉体１０及び右扉体２０）を具備する折れ戸であるものとしたが、本発明に係るドアの種類はこれに限るものではない。例えば、図１０（ａ）に示す第一変形例のように、枠体１１０と、当該枠体１１０に蝶番３０を介して回動可能に支持された１枚の扉体１２０と、を具備するドア１０１（開き戸）であっても良い。このようなドア１０１において、扉体１２０が閉じられる途中で当該扉体１２０と枠体１１０（より具体的には、枠体１１０の左部（蝶番３０が取り付けられた部分））との間に異物が挟まれると、当該扉体１２０が枠体１１０から離間する方向に移動する。これによって、異物に大きな力が加わるのを防止することができる。この場合、枠体１１０及び扉体１２０が、それぞれ本発明に係る一の構造体及び他の構造体の実施の一形態となる。
【００７４】
また、本実施形態に係るドア１は、蝶番３０を３つ具備するものとしたが、本発明はこれに限るものではなく、当該蝶番３０の個数は限定しない。
【００７５】
また、本実施形態においては、左扉体１０及び右扉体２０を木材によって形成するものとしたが、本発明は各部材の材質を限定するものではない。
【００７６】
また、本実施形態においては、付勢部材５０はゴム等によって形成するものとしたが、本発明は付勢部材５０の材質を限定するものではない。すなわち、付勢部材５０の材質として、天然ゴム、シリコンゴム等の弾性体を適宜選択することが可能である。
【００７７】
また、本実施形態においては、案内部４１ａの右上端部近傍に初期位置Ｐを設定しているが、本発明はこれに限るものではなく、任意の位置に初期位置Ｐを設定することが可能である。例えば、案内部４１ａの中央に初期位置Ｐを設定することで、当該初期位置Ｐから前記仮想平面に沿ったあらゆる方向に同じ距離だけ移動可能となる。
【００７８】
また、本実施形態においては、付勢部材５０は案内部４１ａに満たされた弾性体によって形成されるものとしたが、本発明に係る付勢部材はこれに限るものではない。すなわち、本発明に係る付勢部材は、被案内部７２（軸部７２ａ）に付勢力を付与することが出来るものであればよい。例えば、図１０（ｂ）に示す第二変形例のように、らせん状に巻かれた板バネ１５０を用いることも可能である。板バネ１５０は案内部４１ａ内に配置される。当該板バネ１５０の一端は、案内部４１ａの内周面に固定される。また当該板バネ１５０の他端は、軸部７２ａに固定される。このように構成された板バネ１５０の付勢力によって、軸部７２ａは初期位置Ｐに保持される。また、軸部７２ａが初期位置Ｐから移動した際には、当該軸部７２ａには板バネ１５０によって初期位置Ｐに向かう付勢力が付与される。
【００７９】
また、本実施形態においては、右固定部材４０が案内部４１ａを具備すると共に、回動部材７０が被案内部７２を具備する構成を例示したが、本発明はこれに限るものではない。すなわち、回動部材７０が案内部を具備すると共に、右固定部材４０が被案内部を具備する構成とすることも可能である。
【符号の説明】
【００８０】
１      ドア
１０    左扉体
２０    右扉体
３０    蝶番
４０    右固定部材
４１ａ  案内部
５０    付勢部材
６０    左固定部材
７０    回動部材
７２    被案内部
【図１】
2016176294.tif 000003
【図２】
2016176294.tif 000004
【図３】
2016176294.tif 000005
【図４】
2016176294.tif 000006
【図５】
2016176294.tif 000007
【図６】
2016176294.tif 000008
【図７】
2016176294.tif 000009
【図８】
2016176294.tif 000010
【図９】
2016176294.tif 000011
【図１０】
2016176294.tif 000012